(57)【要約】【課題】安定な大容量高速記録を達成する。【解決手段】光照射手段から照射された２つの光のうち一方、または両方を、光照射手段から出射した直後に厚さ・屈折率のうちの少なくとも一方が連続的または２段階以上に異なる光路可変部材を通過させ、２つの光の光路長を相対的に異ならせ、または、１方の光の光路長を再生または記録する記録層の位置に合わせて変化させられるものとする。【発明の効果】多層記録媒体の記録または読み出し時の集光を従来より高精度に行い、記録・再生の高密度大容量化効果が得られる。【選択図】図３
2006268888.tif 000002
【特許請求の範囲】
【請求項１】
複数の記録層を有する情報記録媒体に光を照射し情報を記録又は/及び再生する情報記録又は/及び再生装置において、  
第一の光照射手段と、
第二の光照射手段と、
前記第一の光照射手段から照射された光の発散光学系中に設けられ、前記第一の光照射手段と前記情報記録媒体との間の光路を可変とする光路可変部材とを有することを特徴とする情報記録又は/及び再生装置。
【請求項２】
前記第一の光照射手段は、前記情報記録媒体の記録層への記録または読み出しに用いられ、
前記第二の光照射手段は、前記情報記録媒体のサーボ層の読み出しに用いられることを特徴とする請求項１に記載の情報記録又は/及び再生装置。
【請求項３】
前記光路可変部材は、前記第一の光照射手段から照射された光と前記第二の光照射手段から照射された光が重なり合う前の位置に設けられていることを特徴とする請求項１に記載の情報記録又は/及び再生装置。
【請求項４】
前記光路可変部材は、前記第一の光照射手段および前記第二の光照射手段とコリメータレンズとの間の位置に設けられていることを特徴とする請求項１に記載の情報記録又は/及び再生装置。
【請求項５】
前記光路可変部材は段差構造もしくはバビネ構造からなることを特徴とする請求項１に記載の情報記録又は/及び再生装置。
【請求項６】
記録または読み出しを行う前記記録層の位置に応じて、前記第一の光照射手段から照射された光が通る前記光路可変部材の光学的厚みが可変となるように、前記光路可変部材を移動させる駆動部材を有することを特徴とする請求項１に記載の情報記録又は/及び再生装置。
【請求項７】
記録または読み出しを行う前記記録層の位置に応じて、前記第一の光照射手段から照射された光が通る前記段差構造の段が異なるように、または、前記第一の光照射手段から照射された光が通る前記バビネ構造の厚みが異なるように、前記光路可変部材を移動させる駆動部材を有することを特徴とする請求項５に記載の情報記録又は/及び再生装置。
【請求項８】
前記情報記録媒体はエレクトロクロミック層と、前記エレクトロクロミック層に電圧を印加するための電極層を有し、
前記電極層に電圧を印加する電圧印加手段を有することを特徴とする請求項１に記載の情報記録又は/及び再生装置。
【請求項９】
複数の記録層を有する情報記録媒体に光を照射し情報を記録又は/及び再生する情報記録又は/及び再生装置において、
第一の光照射手段と、
第二の光照射手段と、
前記第一の光照射手段および前記第二の光照射手段から照射された光の発散光学系中に設けられ、前記第一の光照射手段と前記情報記録媒体との間の光路を可変とする光路可変部材とを有することを特徴とする情報記録又は/及び再生装置。
【請求項１０】
前記第一の光照射手段は、前記情報記録媒体の記録層への記録または読み出しに用いられ、
前記第二の光照射手段は、前記情報記録媒体のサーボ層の読み出しに用いられることを特徴とする請求項９に記載の情報記録又は/及び再生装置。
【請求項１１】
前記光路可変部材は、前記第一の光照射手段から照射された光と前記第二の光照射手段から照射された光が重なり合う前の位置に設けられていることを特徴とする請求項９に記載の情報記録又は/及び再生装置。
【請求項１２】
前記光路可変部材は、前記第一の光照射手段および前記第二の光照射手段とコリメータレンズとの間の位置に設けられていることを特徴とする請求項９に記載の情報記録又は/及び再生装置。
【請求項１３】
前記光路可変部材は段差構造もしくはバビネ構造からなることを特徴とする請求項９に記載の情報記録又は/及び再生装置。
【請求項１４】
記録または読み出しを行う前記記録層の位置に応じて、前記第一の光照射手段から照射された光が通る前記光路可変部材の光学的厚みが可変となるように、前記光路可変部材を移動させる駆動部材を有することを特徴とする請求項９に記載の情報記録又は/及び再生装置。
【請求項１５】
前記情報記録媒体はエレクトロクロミック層と、前記エレクトロクロミック層に電圧を印加するための電極層を有し、
前記電極層に電圧を印加する電圧印加手段を有することを特徴とする請求項９に記載の情報記録又は/及び再生装置。
【請求項１６】
記録または読み出しを行う前記記録層の位置に応じて、前記第一の光照射手段から照射された光が通る前記段差構造の段が異なるように、または、前記第一の光照射手段から照射された光が通る前記バビネ構造の厚みが異なるように、前記光路可変部材を移動させる駆動部材を有することを特徴とする請求項１３に記載の情報記録又は/及び再生装置。
【発明の詳細な説明】
【技術分野】
【０００１】
本発明は、光を用いて情報を記録、再生する情報記録装置、情報記録方法に関する。
【背景技術】
【０００２】
光ディスクでは、記録媒体（ディスク）を記録再生装置から外せることと、記録媒体が安価であることが大きな特長になっている。従って光ディスク装置では、この特徴を失わずに高速・高密度化するのが望ましい。
光ディスクの実効的記録密度（実効的面密度）を高めるには、光の遠達性、透過性という特長を生かせる多層化が望ましい。しかし、３層以上では各層の透過率と記録感度とがトレードオフの関係にあり、再生信号品質か記録感度か、どちらかが犠牲にならざるを得なかった。
【０００３】
そこで、このトレードオフを解消する技術が開発されてきており、例えば、特許文献１には、エレクトロクロミック材料を用いた記録層を多層にし、記録層を一対の電極で挟んで電圧を印加し、選択的に記録層を着色させ、その後レーザ光を照射して情報を記録することが記載されている。
なお、特許文献２には、エレクトロクロミック層の両側を導電層で挟んだ光書き込み型記録材料について記載されている。但し、多層に関するものではなく、材料に関する文献である。
上記の他には透明有機材料に厚さ方向も含めて３次元記録するものが知られているが、２光子吸収を利用するものでは読み出し時に手前の層の記録マークによる光の散乱を避けるのが難しい。記録に光重合を利用する場合は保存安定性と記録感度が悪い。一方、ホログラム記録では正確なレーザ波面が要求されるのでディスクの可換性を確保するのが難しい。また、記録媒体に大きなダイナミックレンジが要求される、遮光するディスクケースが必要、コヒーレントノイズの影響を受けやすい、などの問題点も有る。
【０００４】
一方、光導電体と相変化記録膜を透明電極で挟み、この透明電極で電圧を印加しながら光を照射すると、光電流が増倍されて光照射だけの場合に比べて２桁近く弱いレーザ光で記録できる実験結果も報告されている（特許文献３及び４、非特許文献１）。この場合は高速記録に有利な可能性が有るが、透明電極の面抵抗により、ディスク上の場所によって記録マークの大きさや形状が変化しやすいという問題点が有る。
また、多層ディスク用ヘッドの絞込みレンズとディスクとの間に段差ガラス板を入れることで球面収差補正を行う技術が特許文献５、６及び７に記載されている。
また、第１の光源をフォーカス制御、第２の光源をトラッキング制御に用いる技術が特許文献８に記載されている。
【０００５】
【特許文献１】特開２００３−３４６３７８号
【０００６】
【特許文献２】特開２００２−８２３６０号
【特許文献３】特許第８９５１１２号公報
【特許文献４】ＵＳＰ3,801,966
【特許文献５】特開平５−１５１５９１号
【特許文献６】特開平５−１５１６０９号
【特許文献７】特開平３−５４７４０号
【特許文献８】特開２００３−０６７９３９号
【非特許文献１】M.Terao, H.Yamamoto and E. Maruyama : Highly Sensitive Amorphous Optical Memory: supplement to the J. of the Japan Society of Applied Physics Vol.42, pp233-238
【非特許文献２】Advanced Functional Materials vol.12, No.2 pp89-94 (Feb. 2002) Helmut W. Heuer et al.
【発明の開示】
【発明が解決しようとする課題】
【０００７】
本発明者らの検討の結果、エレクトロクロミック材料を用いた方式で記録層を多層に積み上げていくと、最初に形成する記録層は基板の凹凸形状に沿った形状となるが、後に形成する記録層は、凹凸の傾斜部にも膜が付くために基板の凹凸形状を保存せずに溝やピットの幅が順次狭くなり、ついには凹凸がほぼ平坦になってしまうことがわかった。そうすると、あとで積層した層に通常の光ディスクと同様にトラッキング用の溝（グルーブ）でトラッキングすると、溝形状の変形によりトラッキングエラーが生じやすくなってしまう。個別２レーザの光学系にし、２つのビームをプリズムで合流させる前に一方のビームが平行ビームとなっている部分の光学系にレンズやビームエキスパンダを入れ、これらを光軸方向に動かして目標の層にフォーカシングする方法も有るが、光ヘッド大型化・高価格化・性能の経時変化の原因になる。複数のビームの位置関係が光ヘッドの温度変化などで動くおそれが有る。これを避けて１ビームで記録・再生する場合は、ピットや溝を転写した層を数層ごとに設けることにより、移動した焦点位置でアドレスが読めるようにしておく必要が有る。そのためには転写層は１０ミクロン以上の膜厚が必要になる。
【０００８】
本発明の目的は、これらの問題点を解決し、従来の光ディスクとの高い互換性と装置の小型化可能性を保って、安定な大容量高速記録を達成することにある。
【課題を解決するための手段】
【０００９】
上記の問題点を解決するための本発明の構成を以下に述べる。
図３に示すように、光照射手段（図３ではマルチビームレーザ２１）から照射された２つの光のうち一方、または両方を、光照射手段から出射した直後に厚さ・屈折率のうちの少なくとも一方が連続的または２段階以上に異なる光路可変部材２３（段差ガラス板など）を通過させ、２つの光の光路長を相対的に異ならせ、１方の光の光路長を再生または記録する記録層の位置に合わせて変化させられるものとする。これにより２つの光の光路長を相対的に異ならせ、フォーカス位置をそれぞれ、ピットやグルーブが正常に形成されたサーボ層３０と、記録再生すべき層３１に合わせることができる。
なお、特許文献５〜７には多層ディスク用ヘッドの絞込みレンズとディスクとの間に段差ガラス板を入れることで球面収差補正を行う技術が記載されているが、これらは２つの光照射手段を用いたものではなく、本発明のように２つの光の光路長を相対的に異ならせるものではない。また、特許文献８には第１の光源をフォーカス制御、第２の光源をトラッキング制御に用いる技術が記載されているが、本発明のように光路可変部材により２つの光の光路長を相対的に異ならせる技術は記載されていない。
【発明の効果】
【００１０】
多層記録媒体の記録または読み出し時の集光を従来より高精度に行い、記録・再生の高密度大容量化効果が得られる。
【発明を実施するための最良の形態】
【００１１】
（記録・再生）
記録媒体に対する記録は、サーボ層のグルーブに対し図８のような位置関係で行われる。凹凸が滑らかになっているので、グルーブ内やグルーブ間のランド部に書くのではなく、グルーブの傾斜部の右斜面、左斜面の片方または両方に書いても良い。この方が記録・再生層の半径方向ビーム位置ズレを検出しやすい。  以下に、図９を用いて、本情報記録再生の動作を説明する。まず、記録再生を行う際のモーター制御方法としては、記録再生を行うゾーン毎にディスクの回転数を変化させるＺＣＬＶ（Ｚｏｎｅｄ  Ｃｏｎｓｔａｎｔ  Ｌｉｎｅａｒ  Ｖｅ１ｏｃｉｔｙ）方式を採用したものについて述べる。予熱、予備照射の効果が一様であるためには、ＺＣＬＶ方式が最適であった。
【００１２】
本実施例では通常の１チップアレーレーザーを用いることもできるが、アレーレーザーの各レーザーチップを切り離し、シリコン基板上でチップ間の間隔を離して接着しても良い。光スポット間隔は、コリメーターレンズ（ＮＡ０．１程度）と絞込み（集光）レンズとのＮＡ比によって、ビーム間隔の約１／８程度になる。１つのレンズに入るビーム数を２とすると、両端のビームの収差を十分小さく抑えるために、ＮＡ０．８５ではビーム間隔３００ミクロン以下であるのが特に好ましい。
【００１３】
記録・再生に用いた光ヘッドは次のような構成になっている。
少なくとも２本のレーザビームを生成するアレーレーザを用い、レーザビームがレーザから出射してからビームが相互に重なり合うまでの間に、少なくとも1本のビームの光路に階段状の段差を持ったガラス板を挿入してある。挿入されたガラス板は、レーザ光に対して透明な固体であれば他のものを用いても良い。階段の段差がディスクの記録層（エレクトロクロミック層や固体電解質層や、その周辺の層）の周期の１周期または複数周期に対応しており、１周期に対応している場合は下記の式により、フォーカス位置が１周期ずつズレるように段差の高さを決める。
数式    t=(fc/f0)2・（n１/(ｎ１−１)）・(1/n2)・Δｄ  
上式において
ｔ  が  挿入するガラスの厚さ
ｎ１  は、挿入するガラスの屈折率
Δｄ  は、１層あたりの膜厚（フォーカス位置のずらし量）・Δｄ
ｎ２  は、１層の平均屈折率
ｆｃ  は  コリメートレンズの焦点距離  （ここでは16ｍｍ）
ｆ０  は  対物レンズの焦点距離    （ここでは  ２.３１ｍｍ）
複数層が絞り込みレンズの焦点深度内に入る場合は複数周期に対応させる。必ずしも階段状でなく、ビームが通過する厚さが滑らかに変化していても良い。すなわち、厚さまたは屈折率に分布が有ればよい。少なくとも１本のレーザビームが他の１本のレーザビームとは異なる厚さまたは屈折率の部分を通過するようにし、１本のレーザビームが常にアドレス情報などの凹凸を持ったサーボ層に常にフォーカスされるようにサーボをかけると、上記他の１本のビームのフォーカス位置は別の層上になる。上記厚さの差が変化して他の１本のビームのフォーカス位置が記録または読み出しを行う所定の層上になるように上記段差ガラス板を駆動した。
【００１４】
アレーレーザを用いる代わりに、たとえば２つのレーザなど、複数のレーザを用いても良い。この場合は公知の２レーザ光学系と同様で、プリズムにより２つのレーザからのビームを同じ方向にそろえるが、一方のビームの光路の、２つのレーザからのビームが重なり合う前の位置に段差ガラス板を入れる。ただしこの場合はビームの相対位置の調整が微妙で、温度や振動でズレるおそれも有る。
【００１５】
上記ガラス厚さ変更方法、すなわち段差ガラス板の異なる高さの段にレーザビームを移動させる方法としては、階段状のガラスを直線移動させたが、回転させても、螺旋状（例えば１／４円のそれぞれを異なる厚さとした円形のガラス板）のガラスを回転させて厚さを変えても良い。あるいは、電圧によって厚さ、屈折率のうちの一方または両方が変化する材料に電極をつけて用いてもよい。電圧を段階的または連続的に変えて複数段の階段状ガラスの代わりとすることもできる。サーボ用ビームも通過させる場合はその部分は電圧をかけないか、記録・再生用ビームが通過する部分とは異なる電圧をかける。用いる材料としては、例えば透明ピエゾエレクトリック材料が挙げられる。
透明な徐々に厚さが変わるテープをリニアに移動させてもよい。サーボビームには常にフォーカスサーボがかかっているので、記録再生ビームが通過する段差ガラス板の厚さを変えるとき、相対的な厚さの差を所定の値にすれば、サーボビームが通過する部分の厚さも同時に変化させても良いが、サーボが不安定になるおそれが有る。
【００１６】
上記少なくとも２本のレーザビームがほぼ平行ビームで、平行に並んでいる領域が存在し、その間隔が１００ミクロン以上３００ミクロン以下であるようにするのが良い。これより間隔が広いと、両方のビームがディスクへの絞り込みレンズを通過する時、両方とも実用的な小さい収差で集光することができなくなる。間隔が狭いと、上記の段差ガラス板の互いに異なる段差を通すことが困難である。
すなわち、一般化して述べれば、少なくとも２本のレーザビームを生成する単一、または複数のレーザ光源と、レーザビームがレーザから出射してからビームが相互に重なり合うまでの間に、少なくとも1本のビームの光路に挿入された厚さまたは屈折率が分布している透明物質を有し、少なくとも１本のサーボ用レーザビームが他の１本のレーザビームとは異なる厚さまたは屈折率の部分を通過することを特徴とする情報記録媒体に光を照射し情報を記録又は/及び再生する情報記録又は/及び再生装置とするのが良い。サーボ用レーザビームが通過する部分は厚さ０、すなわち素通しとする場合も有り得る。
【００１７】
ビームが相互に重なり合うまでの間とは、レーザから出射してコリメータレンズで平行ビームにされる前の発散光である範囲で有るが、そのうちでもプリズムなどを通る前の範囲が好ましい。なお、平行ビームとは、ビームが進行しても太さが変わらずに、強度１／ｅ２  の範囲の外縁線がほぼ平行（円筒状）になっている状態の光ビームを言う。
【００１８】
ほぼ平行な複数のレーザービームを、ほぼ同一直線上に並んだ複数の発生源から生成するレーザ、すなわちアレーレーザを用いると、ビームは常に一定間隔で平行に出ているので、光学系の調整が容易で好ましい。
上記他の１本のレーザビームが通過する部分の厚さまたは屈折率が変化するように上記透明物質を光軸にほぼ直角方向に駆動する手段を少なくとも有すると、多層の記録媒体に対応でき、好ましい。
ただし、レーザビームの数が層の数＋1本の場合は、透明物質をビームに対して相対的に動かす必要は無く、各ビームの通過部分の厚さまたは屈折率が互いに異なっていれば良い。
【００１９】
上記透明物質を光軸にほぼ直角方向に移動させて厚さまたは屈折率を変える方法として
１．  厚さまたは屈折率が階段状の透明物質を直線移動または回転させて移動させる、
２．  厚さまたは屈折率が螺旋階段状の透明物質を回転させて厚さを変える、
３．  電圧によって厚さまたは屈折率またはそれらの両方を変えることができる透明物質に光の通過方向（透明電極を用いる）あるいはそれと角度をなす方向に電圧を印加する、
４．  透明な徐々に厚さが変わるテープをリニアに移動させる、
のいずれかの方法をとることが好ましい。
【００２０】
階段の一段を必ずしも記録層１層に対応させる必要はなく、層間隔が狭い場合は複数層を一段に対応させてもよい。
上記階段状または螺旋階段状の透明物質が光路に複数挿入されており、それらが独立に駆動できると、階段状透明物質の加工上の制約を受けずに多層よりなる記録媒体にフォーカスすることができる。
上記階段状または螺旋階段状の透明物質が光路に複数挿入されており、段差が相対的に大きい透明物質と小さい透明物質が存在するようにすると、それらの厚さまたは組合わせによって段差の補正が可能であり、複数種類の多層媒体に１台の情報記録又は/及び再生装置が対応することができる。
【００２１】
また、上記少なくとも２本のレーザビームが、ほぼ平行な２本のビームであって、平行に並んでいる領域が存在し、その光軸（ビーム中心軸）の間隔が１００ミクロン以上３００ミクロン以下であると、図４の縦軸λrmsの値から分かるように、両方のビームを許容範囲の収差で集光することができ、上記透明物質が階段状である時の段差が各段の面に対して垂直に加工できない時の許容量が十分に取れて好ましい。より好ましい範囲は１５０ミクロン以上２５０ミクロン以上である。通常の１ビーム光ヘッドに用いられる高パワーの個別レーザもバー（棒）状のレーザアレイを１個ずつに切り離して作られる。バー状の時のレーザの間隔は２００ミクロン程度である場合が多く、複数ずつ、例えば２個ずつに切り離してステムにマウントすれば本発明の光ヘッドに使うことができる。
【００２２】
上記記録媒体が基板またはカバー層の内側の表面に情報の読み出し、またはトラッキングが可能なピットまたはグルーブの少なくとも1方を持ち、フォーカス誤差信号がサーボ層からの反射光のフォーカス誤差信号と分離できない層は、少なくとも一部のピット、またはグルーブの光学的深さが浅く、そのことを判別することにより各ビームを所定の層にフォーカスするサーボ系を有するようにするのが好ましい。ピットまたはグルーブは物理的な窪みや溝でなく、屈折率変化による光学的なピットやグルーブであっても良い。
【００２３】
上記の情報記録媒体として、エレクトロクロミック層と、エレクトロクロミック層に電圧を印加できる電極層とを少なくとも有する多層記録媒体を用い、前記電極層に電圧を印加する手段を少なくとも有するようにするのが好ましい。以下具体的に述べる。各記録層の基本状態は透明な状態とする。図１に示したように、記録層を挟む電極層間にプラス電圧をかけた層だけが着色する。図１２に着色の詳細図を示す。記録レーザ光照射によって着色機能が失われるか弱まって着色が遅くなった記録マークが形成されれば、層全体を透明に戻した時記録マークが見えず、他の層の記録・再生時に障害とならない。これにより、他の層の干渉が無いので層間隔を狭くでき、従来の複数層ディスクより多層・大容量化できる。記録層として、電圧印加によって光吸収スペクトルが変化する有機または無機のエレクトロクロミック材料層と固体電解質層との積層膜の他、エレクトロルミネッセント材料とフォトクロミック材料との混合材料層あるいは積層膜などを用いれば良い。これにより任意の層だけ光吸収と反射が増加し、他の層はほとんど光吸収が無いようにできる。多層積層するとアドレス情報を表わすピットや溝が変形するが、場合によっては何層か積層する毎にピットや溝を転写した薄い層を設けることにより、移動した焦点位置で焦点深度内の少なくとも一部の層のアドレスが読めるようにしておく。エレクトロクロミック材料としては、例えば酸化タングステンが挙げられる。これら透明電極間の層を総称して記録層と呼ぶ。記録は記録層の厚さ方向のどの部分の変化によって行われても良い。一対の透明電極間に複数のエレクトロクロミック材料層が有る場合は、それらのそれぞれに別々に記録することもできる。
【００２４】
まず、すべての層を消色状態にしてサーボビームをフォーカスするサーボ層のフォーカス誤差信号をメモリーに入れ、次に任意の層を着色させてフォーカス誤差信号の変化を学習して、着色層が有っても少なくとも1本のレーザビームをサーボ層にオートフォーカスするように制御するのが良い。
【００２５】
上記サーボビームをフォーカスするサーボ層の凹凸で示される情報は、ＲＯＭ光ディスクとして意味の有る、例えば動画などの信号であるようにすると、他の層は記録可能であるから、層によるいわゆるＲＯＭ／ＲＡＭ混在、またはＲＯＭ／Ｒ混在が実現して用途を広げることができる。
例えばディスクを装置にセットした時と、３０分おき、あるいは装置内温度が５℃変化した時など、所定のタイミングで上記サーボビームとその他のビームが上記透明物質の同じ厚さおよび同じ屈折率の部分を通過するか、完全に上記透明物質を外した状態で通過するように制御すれば、両方のビームのフォーカス位置をサーボ層上にすることができるので、それぞれのビームでサーボ層からトラックアドレス情報またはセクターアドレス情報を読んで、ビームスポットの絶対位置または相対位置を確認することができて好ましい。
所定のタイミングで上記その他のビームで、所定の層にその下方にあるサーボ層の凹凸から少なくとも部分的に受け継がれている凹凸の再生信号の変調度、アシンメトリー、エッジシフトのうちの少なくとも１つから上記その他のビームが所定の層に正確にフォーカスされているかどうか検出し、フォーカスオフセットを変更するという手順、あるいはその繰返しによりフォーカス位置を補正する手段を有するのが好ましい。
【００２６】
さらに、所定のタイミングで上記その他のビームで、記録・再生する所定の層に試し書きを行い、その部分の再生信号の変調度、アシンメトリー、エッジシフトのうちの少なくとも１つから上記その他のビームが所定の層に正確にフォーカスされているかどうか検出し、フォーカスオフセットを変更するという手順、あるいはその繰返しによりフォーカス位置を補正する手段を有するのが好ましい。上記試し書きは、記録レーザ波形やパワーレベルを合わせるための試し書きを少なくとも部分的に兼ねていると、時間が省略できてさらに好ましい。アドレス情報を記録マークにより書き加えるなどの方法で各層のアドレスを異ならせた記録媒体を用いる場合は、記録・再生ビームでもアドレスを読んで確認し、ずれていた場合はヘッドを回して調整する。
【００２７】
再生信号の変調度、アシンメトリー、エッジシフトのうちの少なくとも１つはフォーカスズレの影響を受けるので、フォーカスオフセットを順次変えて最良の再生信号が得られる状態からズレた場合の変化を学習しておけば、使用する各種記録媒体に応じた最適フォーカスを行うことができる。
【００２８】
上記の情報記録媒体として、多層記録媒体で、少なくとも２つ以上の記録層の記録層中央から記録層中央までの間隔が１００ｎｍ以上１０００ｎｍ（１ミクロン）以下のものを用いるのが好ましい。これ以上記録層の間隔が小さいと記録時に記録層間の熱伝導によって隣接層の記録状態が変化する。これ以上記録層の間隔が大きいと、収差の抑制が困難である。
本願では、エレクトロクロミック材料層あるいは記録層とは、電圧印加（電流が流れる）によって、直接発色する（吸収スペクトルが変化する）材料の層の場合だけでなく、電圧印加によって発光する領域とその光を受けて発色又は消色する領域を有する層である場合も指すものとする。
【００２９】
エレクトロクロミック材料層とそれを挟む第１または第２の電極との間に相変化記録層（たとえばＧｅ２Ｓｂ２Ｔｅ５を含む層）を設けても良い。光入射側と反対側に設けるのが光学的により好ましい。この場合、エレクトロクロミック層は記録しきい値が高いものとし、相変化記録層にはＳｂ４Ｔｅ３Ｓ２など硫黄を含む低融点のものを選んで相変化記録層にのみ記録が起こるようにするか、エレクトロクロミック層を除去してもよい。このように相変化記録層をもうけると、記録した情報を書換え可能にすることができる。エレクトロクロミック層自身が光導電体層を兼ねたり、相変化して着色あるいは消色特性が変わるものであっても良い。
【００３０】
第１の電極と第２の電極のうち、少なくとも一方の電極を複数に分割して形成しても良い。放射状に複数に分割すればＣＡＶ（ｃｏｎｓｔａｎｔ  ａｎｇｕｌａｒ  ｖｅｌｏｃｉｔｙ）記録に適合しやすく、電極間容量を小さくできるので応答速度を向上できる。
【００３１】
記録媒体の少なくとも片面の基板の内周部には貫通する電極が設けられ、ディスク上の各電極と回転軸上の各電極を電気的に接続する役割をする。
装置側の電極としては、ディスク回転モーターの回転軸または回転軸に取付けられたディスク受け部品、あるいはディスクを押えるディスク押えの、ディスク側電極と接する部分に複数の電極が配置され、ディスク取り付け時に回転軸側電極とディスク側電極が直接、あるいはディスク押えの中の配線を介して接触する手段を設ける。これによって、各電極に所定の電圧を印加することができる。
【００３２】
本発明は２．６ＧＢ  ＤＶＤ−ＲＡＭの規格以上の記録密度（トラックピッチ、ビットピッチ）の場合に効果を発揮し、４．７ＧＢ  ＤＶＤ−ＲＡＭの規格以上の記録密度の場合に特に効果を発揮する。光源の波長が６６０ｎｍ付近でない場合や、集光レンズの開口数（ＮＡ）が０．６でない場合は、これらから半径方向，円周方向ともに波長比、ＮＡ比で換算した記録密度以上で効果を発揮する。
【００３３】
本明細書では、結晶−非晶質間の相変化ばかりでなく、融解（液相への変化）と再結晶化、結晶状態−結晶状態間の相変化も含むものとして「相変化」という用語を使用する。また、本発明のエレクトロクロミック材料が導電性を持つとは、直径８０ｍｍ以上のディスクの第１と第２の電極間に２Ｖの電圧を印加した時、０.１ｍＡ以上の電流が定常的に流れることで定義する。
【００３４】
記録または再生時の動作は、図１８のフローチャートに示すように、例えば次のようになる。まず、記録または再生すべき層の層番号とトラックの番号を決め、ディスクを回転させ、サーボビームを基板表面上、あるいはそれに近いサーボ層に対してオートフォーカスし、次いでトラッキングのサーボをかける。さらに所定のトラックに移動させる。次に、その層に着色電圧をかけて着色を始める。次に段差ガラス板を、記録・再生ビームが、サーボ層と記録・再生すべき層との基板面に垂直方向の位置の差に対応する段を記録・再生ビームが通過するように、必要が有れば段差ガラス板を回転または平行移動させる。これによって記録・再生ビームは所定の層の所定のトラックに集光され、トラッキングされているはずであるから、トラッキング誤差信号やアドレスを確認できる層ではそれを確認し、必要が有ればトラックジャンプ、および／または光ヘッドの角度を微調整して修正する。その後、実際に記録または再生動作する。
【００３５】
記録・再生動作が終わり、次に記録・再生する層が別の層である場合は、記録・再生した層に消色電圧をかけ始め、トラックを新たに記録・再生するトラックに移動し、次に新たに記録・再生する層に着色電圧をかけ始める。次に段差ガラス板を回転または平行移動させて記録・再生ビームをフォーカスする層を変える。後は同様にして、記録・または再生を行う。
【００３６】
この装置で多層のＲＯＭディスクを再生する場合や、従来の記録型Ｂｌｕ−ｒａｙディスクや記録型ＤＶＤディスクを記録・再生する場合は、サーボビームまたは記録・再生ビームだけで従来の光ディスク装置と同じように記録・再生・層間ジャンプする。
具体的には、図３に示したように、２１のマルチビームレーザから2つのビームが発光される。この２つのビームが合流する前に２３の厚さの変化する段差ガラスを挿入する。Read／Write用のビームのみが段差ガラスの厚さ変化部分を通過できる位置に位置決めする。２２の駆動部材（たとえば回転円筒などの超小型モータ）、たとえばステッピングモータまたはリニアモータで２３が回転または直線移動する。それぞれの光は２４のコリメートレンズによって平行光となる。２６の１／２波長板を使用して２８のビームスプリッタで光の８割透過、２割反射する。反射した光は、２７の２分割ディテクタのパターンに結像し、それぞれの光出力を制御する。透過した光は２９の２次元アクチュエータによってディスクに結像される。２３の段差変化ガラスを通過していない光は、サーボ層に、段差変化ガラスを通過した光は、記録・再生に選択された記録層に結像される。２２の超小型モータによってガラスの厚みが変化すると、他の層に光が結像する。ディスクから反射した光は、２８のビームスプリッタで反射し、Read／Write用のビームは、３２のビームスプリッタで反射して３５のディテクタで光が検出される。
【００３７】
サーボ用のビームは、３２を通過し、３３のシリンドリカルレンズを通過する。オートフォーカス制御は非点収差法を使用し、トラッキング制御は２５の回折格子によって３スポット法を使用している。
【００３８】
階段状、またはラセン階段状の段差変化ガラス板（略して段差ガラス板  または段差板）を機械加工と研磨で作り、段差の立ち上がり部分の角（かど）をきちんと仕上げるのは非常に難しい。そこで、薄い石英ガラス板を例えば０．０５ｍｍ、０．１０ｍｍ、０．１５ｍｍの０．０５ｍｍ刻みの３段階の厚さに平らに研磨し、それをカットして０．２ｍｍ程度の厚さのベース板に階段状に接着剤で貼り付けていく方法が好ましい。接着剤の段差立ち上がり部へのハミ出しを防ぐために、段差板の１番薄い部分にも厚さ０．０５ｍｍのシートを貼り付けた。こうするとシート同士がぶつかる垂直の突合せ面に接着剤が吸収され、はみ出しが防止できた。３段の螺旋階段状段差ガラス板の構造図を図１３に示した。半円形シートと他のシートの突合せ面は、回転中心でもある円の中心から０．０７ｍｍずらしてある。これによりサーボビームは常に円の中心の厚さ０．２５ｍｍの部分を通過する。段差の大きさは、記録媒体の１層分の厚さ、記録膜材料の材料の屈折率によって変わってくる。その場合は、上記の各段の厚さに倍数をかけた厚さとする。直線階段状段差ガラス板の形状図を図１４に示した。
【００３９】
なお、形状として段差が有るのでなく、光路長を可変とすることができる光路可変部材であれば他の形状等でもよく、例えば、屈折率に段差または傾斜が有る段差ガラス板（光路調整版）を用いても良い。１例として、石英（ＳｉＯ２）と、アルミナと、硫化亜鉛（ＺｎＳ）の板をすべて同じ厚さ０．２５ｍｍの厚さに光学研磨し、隣どおし接着して直方体タイプの段差ガラス板とした。
【００４０】
図１０に、上記の屈折率が異なるタイプの光路調整板で、フォーカス位置ずれる原理を示した。上記の段差ガラス板を熱処理して境界部分を相互拡散させ、屈折率が滑らかに変化する光路調整板としても良い。
多種類の記録媒体に対応できるように段差を連続可変とするには、断面が３角形の板を組合わせたバビネ型と呼んでいる段差板が好ましい。図１５に示したように斜面に沿って３角形をスライドさせ、重なり部分を変えると、図において上下方向の厚さを連続的に変えることができる。ただしこの場合は、重なりを少なくした時、重なっていない部分が上下に張り出すので、段差ガラス板とレーザなどの他の光学部品との位置関係に注意が必要である。
【００４１】
多種類の記録媒体に対応できるようにするもう１つの方法として、図１６示したように段差が大きい段差板と段差が小さい段差板の両方を一つのビームが通るようにするのが良い。段差が大きい方で層の選択をし、段差が小さい方で媒体間の１層あたりの膜厚などの違いの補正をする。
【００４２】
上記記録媒体が基板またはカバー層の表面に情報の読み出し、またはトラッキングが可能なピットまたはグルーブの少なくとも1方を持ち、図１７に断面図を示したようにフォーカス誤差信号が基板表面の反射層と分離できない層は、ピット、またはグルーブが浅く、ピット、またはグルーブからの信号が小さいために、基板またはカバー層の内側の表面にすくなくとも1本のサーボビームをオートフォーカスするのに障害とならないようにすると、正確なフォーカスができる。具体的には、本実施例で基板上にＡｇ−Ｐｄ−Ｃｕ  半透明反射層を形成した後、低分子量のアクリル樹脂を平均膜厚１５０ｎｍに薄く塗布し、ピットやグルーブを埋めて深さを１／３以下にしてしまう。このようにするとピットからの再生信号はサーボ層だけから強く検出されるので、再生信号が大きくなるようにフォーカス位置を調整すればよい。グルーブからのプッシュプルの信号が大きくなるように調整しても良い。
【００４３】
また、別の方法として、まず、すべての層を消色状態にしてサーボ層のフォーカス誤差信号をメモリーに入れ、次に任意の層を着色させてフォーカス誤差信号の変化を学習して、着色層が有っても少なくとも1本のレーザビームをサーボ層にオートフォーカスするように制御するのも良い。
【００４４】
多数層積層してグルーブの形状が浅く、変形しても、弱いプッシュプル信号は生じるので、それを頼りに記録・再生ビームの位置を補正しても良い。補正用に、基板表面に積層で埋まりにくい大きめのピットを設けておいて、その信号を頼りに補正しても良い。補正は光ヘッドをディスクに平行な面内で微小角度回転させることによって行う。あるいは、実際に記録・再生ビームが位置するトラックに記録する信号に切り換えて記録する。読み出した信号も、アドレスを補正して再生信号処理するなどの論理的補正を行ってもよい。さらには、例えば正確にトラック上に乗せる補正を機械的にアクチュエータで行い、１トラック以上ズレた分については論理的補正を行うというように、両者を組合わせた補正を行っても良い。
本実施例ではグルーブによる連続サーボ方式を用いたが、サーボピットによるサンプルサーボ方式としても良い。
【００４５】
図９に装置の構成図を示したように、記録装置外部からの情報は８ビットを１単位として、８−１６変調器３−８に伝送される。情報記録媒体（以下、光ディスクと呼ぶ）３−１上に情報を記録する際には、情報８ビットを１６ビットに変換する変調方式、いわゆる８−１６変調方式を用い記録が行われた。この変調方式では媒体上に、８ビットの情報に対応させた３Ｔ〜１４Ｔのマーク長の情報の記録を行っている。図中の８−１６変調器３−８はこの変調を行っている。なお、ここでＴとは情報記録時のクロックの周期を表している。ディスクは光スポットとの相対速度が１５ｍ／ｓの線速度となるよう回転させた。
【００４６】
８−１６変調器３−８により変換された３Ｔ〜１４Ｔのデジタル信号は分配装置により各ビームに分配される。もちろん、例えばテレビの各チャンネルの映像・音声信号のように元々別々の信号を各ビームに割り振って並列記録しても良い。各ビームの記録信号は記録波形発生回路３−６に転送され、マルチパルス記録波形が生成される。
この際、記録マークを形成するためのパワーレベルを１２ｍＷ、パワーを下げたパワーレベルを１ｍＷとした。線速度を８．２ｍ／ｓから変えても、この範囲に大きな変化は無かった。読出しは、１ｍＷで行う。２ｍＷを越えるパワーで長時間読むと、記録されているデータの劣化が生じた。また、上記記録波形発生回路内において、３Ｔ〜１４Ｔの信号を時系列的に交互に「０」と「１」に対応させるようにしている。この際、高パワーレベルのパルスが照射された領域は非晶質（マーク部）に変化する。また、上記記録波形発生回路３−６内は、マーク部を形成するための一連の高パワーパルス列を形成する際に、マーク部の前後のスペース部の長さに応じてマルチパルス波形の先頭パルス幅と最後尾のパルス幅を変化させる方式（適応型記録波形制御）に対応したマルチパルス波形テーブルを有しており、これによりマーク間に発生するマーク間熱干渉の影響を極力排除できるマルチパルス記録波形を発生している。
【００４７】
記録波形発生回路３−６により生成された記録波形は、レーザー駆動回路３−７に転送され、レーザー駆動回路３−７はこの記録波形をもとに、光ヘッド３−３内の半導体レーザーを発光させる。
【００４８】
本記録装置に搭載された光ヘッド３−３には、情報記録用のレーザービームとして光波長６８０ｎｍの半導体レーザーアレーが使用されている。また、このレーザー光をレンズＮＡ０．６５の対物レンズにより上記光ディスク３−１の記録層上に絞り込み、レーザービームを照射することにより情報の記録を行う。レーザ光はサーボ層を表面に形成した基板を通して照射しても良いし、張り合わせ基板を通して照射しても良い。
【００４９】
記録された情報の再生も上記光ヘッドを用いて行った。アレーレーザーで再生すべき層を記録時と同様に着色させ、レーザービームを記録されたマーク上に照射し、マークとマーク以外の部分からの反射光を検出することにより、再生信号を得る。
この再生信号の振幅をプリアンプ回路により増大させ、８−１６復調器３−１０では１６ビット毎に８ビットの情報に変換する。以上の動作により、記録されたマークの再生が完了する。
以上の条件でマークエッジ記録を行った場合、最短マークである３Ｔマークのマーク長は約０．４μｍとなる。記録信号には、情報信号の始端部、終端部に４Ｔマークと４Ｔスペースの繰り返しのダミーデータが含まれている。始端部にはＶＦＯも含まれている。
【００５０】
信号変調方式として８−１６変調以外を用いることももちろん可能である。
（構成、製法）
図５は、アレーレーザを光源として形成された２つの光スポットと記録媒体との関係を示す。記録媒体のサーボ層にサーボビームの焦点位置が一致するように光ヘッド、およびその１部であるレンズの位置を調節する。レンズの位置調節はフォーカス方向とトラッキング方向の公知の２次元アクチュエータによって行った。
ディスク基板上に、基板に近い透明電極ほど内周まで形成されるように内周マスクの外径を変えて製膜後、さらにこの上に紫外線硬化樹脂により内周部に内径（直径）１５ｍｍ、外径４０ｍｍの電極が貫通した基板、外周部に内径約４０ｍｍ外径１２０ｍｍ厚さ０.６ｍｍのポリカーボネート基板を貼り付けた。ディスクの断面形状は図６のようになった。光はこの張り合せ基板９４側から入射させた。ポリカーボネート基板９１側から光を入射させて記録・再生することも可能である。ＩＴＯ透明電極などの各層はスパッタリングで形成した。
【００５１】
記録はレーザー光、および／または電流の作用によって、膜のエレクトロクロミック作用を失わせるか弱め、電圧を印加しても発色しない、あるいは発色が遅い、あるいは記録前と異なる吸収スペクトルを持つようにして行う。エレクトロクロミック材料層または固体電解質層を少なくとも部分的に分解、あるいは他の層と相互拡散させて、エレクトロクロミック作用を失わせたり、着色または消色の速度を遅くしたりしても良いし、酸化タングステンやポリアセチレンのような結晶化しやすい材料をエレクトロクロミック層に用いる場合、相変化（結晶化や結晶性の変化）でエレクトロクロミック作用を失わせたり、着色または消色の速度を遅くしたりしても良い。相変化の場合、書換え可能になる。
【００５２】
前出の図６に示したように、各層は、形成時に内周マスクを少しずつ大きくして行って、各電極が同心円状に内周部に露出するようにしてある。図では簡単のため２層だけを示しているが、実際にはもっと層数が多い。張り合わせ基板の内周部は別の基板となっており、この基板はプリント基板状で両面に透明電極の数に対応した同心円の金属電極が形成されており、金属ピン（細い金属円筒、または金属線）が貫通していて表面と裏面の対応する同心円電極を接続している。記録層を有する基板側に貼り付ける側は、通常のプリント基板では表面の金属配線にハンダメッキされているが、この場合は凹凸が生じるおそれが有るのでハンダメッキしない方が良い。Ｉｎ層を形成しておくのも良い。Ｉｎは撮像管のフェースプレートの圧着に使われていたように低融点で柔らかいので、記録層を有する基板に押し付けると変形して透明電極に接着する。Ｉｎの代わりに市販の導電性両面テープのような、導電性と弾力性の有る有機材料、あるいは導電性ゴムと導電性接着剤の組合わせが良く、導電性接着剤には有機材料と金属の複合材料を用いても良い。内周側基板と、記録・および／または再生領域を有する外周側基板は一体であっても、互いに接着されていても、あるいは別々に相手側の基板に接着されていても良い。
【００５３】
ディスク回転モーターの回転軸上部のディスク受け部分上部には図７に示したようにディスクの内周側基板表面の同心円電極と接触するバネを内蔵したピン電極が１つの同心円電極あたり３つづつ設けられており、ディスクを置けば各電極に電流を流すことができる。図７では簡単のため３つの同心円電極に対応するピン電極だけを描いている。ピン電極は円筒状でもよい。内周側基板は外周側張り合わせ基板と一体化してもよい。
【００５４】
ディスク受け部分（円板）に接続するディスク回転モーターの回転軸の内部の表面付近を通って、５層までの多層ディスクに対応できるように６本の分離した電線が上記ディスク受けの電極に接続されている。各電線が、上記の同心円状の３個ずつのピン電極に接続されている。ディスク回転軸の各電線には図１１に示したように複数のブラシとリングとの組み合わせの電圧伝達機構により記録装置の回路基板より給電した。各リングからは回転軸内をディスク受け部分に向かって各リングからの配線が上がっていく。ブラシとリングの場合、各ブラシの先にボール１個を保持し、ボールの周囲に導電性潤滑材を用いると、磨耗を抑制することができ、長寿命化できる。ブラシは、１電極ごとに独立としても良いが、ここでは６本をまとめて１枚のバネ板状とした。このようにまとめる方法では、５０電極程度の多数電極になっても相互干渉無く安定に動作できる。ブラシとリングとの組み合わせの代わりにボールベアリングを用いてもよい。ボールベアリングにはカーボン微粉を混合した導電性グリースを充填して導電性を向上させた。電圧伝達機構（給電方法）はレーザーまたはＬＥＤと太陽電池との組み合わせや、電磁コイルの相対運動による発電による非接触式など、他の方法を用いても良い。電圧伝達機構はディスク回転モーターのディスク側に有っても、反対側に有っても良い。
【００５５】
基板側からのレーザ光照射の場合、先に述べたように複数膜よりなる透明反射層を用いるのが好ましい。２つのレーザビーム源として
波長の異なるレーザを用いる場合、サーボビームである一方のレーザ光（例えば波長６６０ｎｍを反射し、他方のレーザは透過するように透明反射層を設計するのが好ましい。
（電極材料）
反射層を兼ねた電極材料として好ましいものは、用途によって異なる。通常はＡｇ合金、Ａｕ合金、またはＡｌ合金を用いる。多数回書換えを要求される場合は、タングステン、またはモリブデン、あるいはその少なくともいずれかを含み、チタンなどの他の金属元素を５０原子％未満含むものも好ましい。
透明電極の材料としては、（Ｉｎ２Ｏ３）ｘ（ＳｎＯ２）１−ｘの組成で、ｘが５％から９９％の範囲の材料、抵抗値の面でより好ましくは、ｘが９０％から９８％の範囲の材料、これにモル％で５０％以下のＳｉＯ２を添加したもの、ＳｎＯ２にモル％で２から５％のＳｂ２Ｏ３などの他の酸化物を添加したもの、Ｚｎの酸化物を主成分とするものなどの既知の透明電極材料、ポリチオフェン、ポリアセチレンなどの導電性有機材料が使用可能である。
（基板）
本実施例では、表面に直接、トラッキング用の溝を有するポリカーボネート基板７７を用いているが、トラッキング用の溝を有する基板とは、基板表面全面または一部に、記録・再生波長をλとしたとき、λ／１５ｎ（ｎは基板材料の屈折率）以上の深さの溝を持つ基板である。溝は一周で連続的に形成されていても、途中分割されていてもよい。基板の厚さは０．０５ｍｍから１．２ｍｍの範囲で良い。また、その溝幅は場所により異なっていてもよい。溝部とランド部の両方に記録・再生が行えるフォーマットを有する基板でも、どちらか一方に記録を行うフォーマットの基板でも良い。グルーブのみに記録するタイプでは、トラックピッチが波長／絞込みレンズのＮＡの０.７倍付近、グルーブ幅がその１／２付近のものが好ましい。既に述べたように、サンプルサーボ方式の場合はサンプルサーボフォーマットの基板を用いる。
【産業上の利用可能性】
【００５６】
本発明は情報記録・再生に関する分野で利用可能である。
【図面の簡単な説明】
【００５７】
【図１】本発明の記録または／および再生装置のクロストーク防止の原理を示す図である。
【図２】本発明の光ヘッドの光学系の一例である。
【図３】本発明の光ヘッドの光学系の他の一例を示す図。
【図４】本発明の光ヘッドで参考にした像高と波面収差との関係を示す図である。
【図５】本発明の一実施例の２つのレーザビームの焦点位置を示す図である。
【図６】本発明の一実施例のディスク全体の断面構造を示す図である。
【図７】本発明の一実施例のディスク受け部分のピン電極の配置を示す図である。
【図８】本発明の一実施例のグルーブの平面形状と記録状況を示す図である。
【図９】本発明の一実施例の制御系のブロック図である。
【図１０】本発明の一実施例の光学系の詳細図である。
【図１１】本発明の一実施例のクランプ経由の電圧印加方法を示す図である。
【図１２】本発明の一実施例のエレクトロクロミック層の着色・消色を示す図である。
【図１３】本発明の一実施例の螺旋階段状段差ガラス板の構造図である。
【図１４】本発明の一実施例の直線階段状段差ガラス板の構造図である。
【図１５】本発明の一実施例の三角形組合わせ型段差ガラス板の構造図である。
【図１６】本発明の一実施例の異なる段差の組み合わせ段差ガラス板の構造図である。
【図１７】本発明の一実施例の、記録・再生層を平坦化した記録媒体の断面図である。
【図１８】本発明の一実施例の、記録・再生時の動作のフローチャート図である。
【符号の説明】
【００５８】
１：  アレーレーザ
２：  光路可変部材  
３：  プリズムビームスプリッタ（ＰＢＳ）
４：  コリメートレンズ
５：  回折格子（ピッチ７１ミクロン）
６：  プリズムビームスプリッタ（ＰＢＳ）
７：  コリメータレンズ
８：  ２分割ディテクタ
９：  絞込み光学系およびアクチュエータ
１０：コリメートレンズ
１１：ビームスプリッタ
１２：再生信号用ＯＥＩＣ
１３：再生ビーム遮光ナイフエッジ
１４：シリンドリカルレンズ（ｆ＝１２０ｍｍ）
１５：記録ビーム遮光ナイフエッジ
１６：サーボ用ＯＥＩＣ
１７：絞込みレンズ（ＮＡ０．６５）
１８：1／４波長板
１９：立上げミラー
２０：記録媒体
２１：マルチビームレーザ
２２：駆動部材
２３：光路可変部材
２４：コリメートレンズ
２５：回折格子
２６：１／２波長板
２７：２分割ディテクタ
２８：ビームスプリッタ1
２９：２次元アクチュエータ
３０：ディスクのサーボ層
３１：ディスクの記録層のうちの１層
３２：ビームスプリッタ２
３３：シリンドリカルレンズ
３４：サーボ制御用ディテクタ
３５：リード用ディテクタ
３６：レンズ
３７：レンズ
３９：サーボ層
４１：  基板
４２：  半透明金属電極層
４３：  透明電極層
４４：  記録層（エレクトロクロミック材料層と固体電解質層）
４５：  透明電極層
４６：  記録層
４７：  透明電極層
４８：  サーボ層
４９：  張り合わせ基板
９１：  基板
９２：  透明電極
９３：  透明電極の同心円状露出部分
９４：  張り合わせ基板
９５：  外側同心円電極
９６：  貫通導電路
９７：  内側同心円電極
１００：ディスク受け部分
１０１  溝
１０２：ピン電極
１０３：中心軸
１０４：電圧伝達機構
１０５：ディスク受け部
１２１：ディスククランプのバネ入りピン電極
１２２：クランプ
１２３：クランプ内の導線
１２４：クランプ側コンタクト部
１２５：導線コンタクト部
１２６：外側同心円電極
１２７：透明電極
１２８：内側同心円電極
１２９：導電性樹脂
１３０：ディスク基板
１３１：ディスク中心穴受け部
１３２：回転軸表面付近の導線
１３３：ディスク回転モータ
１３４：リング群
１３５：ブラシ群
１３６：静止部からブラシ群への導線
１５１：厚さ０．２ｍｍの段
１５２：厚さ０．２５ｍｍの段
１５３：厚さ０．３ｍｍの段
１５４：記録・再生レーザビーム
１５５：サーボ用レーザビーム
１５６：記録・再生ビームの軌跡
１５７：段差ガラス板の回転方向
１６１〜１６５：記録・再生ビーム用段差
１６０：サーボビーム用の段
１６６：記録・再生用ビーム
１６７：サーボ用ビーム
１７０，１７１：楔形組合わせ段差ガラス板
１７２：一方の楔の移動方向
１７５：段差の異なる組み合わせ段差ガラス板
２０１：基板
２０２：半透明金属反射層
２０３、２０４、２０５：ダミー層
２０６：透明電極
２０７：エレクトロクロミック層
２０８：固体電解質層
２０９：透明電極
２１０：スペーサー層
２１１：透明電極
２１２：エレクトロクロミック層。
【図３】
2006268888.tif 000003
【図４】
2006268888.tif 000004
【図６】
2006268888.tif 000005
【図７】
2006268888.tif 000006
【図８】
2006268888.tif 000007
【図９】
2006268888.tif 000008
【図１０】
2006268888.tif 000009
【図１１】
2006268888.tif 000010
【図１３】
2006268888.tif 000011
【図１４】
2006268888.tif 000012
【図１５】
2006268888.tif 000013
【図１６】
2006268888.tif 000014
【図１７】
2006268888.tif 000015
【図１８】
2006268888.tif 000016
【図１】
2006268888.tif 000017
【図２】
2006268888.tif 000018
【図５】
2006268888.tif 000019
【図１２】
2006268888.tif 000020